(57)【特許請求の範囲】
【請求項１】
小物入れ本体の上部後縁部に扉がその自由端を前に上方に開放可能に軸支され、該扉の自由端近傍の内側にフックが傾動可能に設けられ、該小物入れ本体の上部に該フックが進入する開口部が形成され、該扉の閉鎖時に該フックが該開口部に進入した際、該開口部の内側縁部に設けたフック係止部に該フックが係止されて該扉をロックする小物入れ用扉のロック装置において、
該開口部の内側に開閉可能に配置され、該開口部を内側から閉じる蓋体と、
該蓋体を回動可能に軸支し中央内側に嵌合部を有するリテーナと、
該リテーナの嵌合部に嵌合されるノブケースと、
該ノブケース内に押し込み摺動可能に配設されると共に、摺動時に前記フックに係合して該フックをアンロック側に傾動させるアンロック部を設けたアンロックノブと、
該アンロックノブを該小物入れ本体の一部に設けた孔から突出するように付勢するばね部材と、
を一体に組み付けてロック装置ユニットが形成され、該ロック装置ユニットが前記小物入れ本体内の所定位置に固定されたことを特徴とする小物入れ用扉のロック装置。
【請求項２】
前記ノブケースとリテーナの嵌合部間に、アンロックノブを該ノブケース内に挿入した状態で該ノブケースを前記リテーナの嵌合部に嵌合させた際、該ノブケースを該嵌合部の所定位置に係止させる係止手段が設けられた請求項１記載の小物入れ用扉のロック装置。
【請求項３】
前記フックが前記アンロックノブの押し込み操作により、後方に傾動して、前記開口部内側の前縁部に設けられた前記フック係止部との係止を解除するように構成された請求項１記載の小物入れ用扉のロック装置。
【請求項４】
前記リテーナの嵌合部内に前記ばね部材が前記アンロックノブを前方に向けて付勢するように配設された請求項１記載の小物入れ用扉のロック装置。
【発明の詳細な説明】
【０００１】
【発明の属する技術分野】
本発明は、自動車のインストルメントパネルの上部等に設けられる小物入れの扉をロックするロック装置に関する。
【０００２】
【従来の技術】
従来、自動車のインストルメントパネルの上部に設けられた扉付きの小物入れが知られている。この種の小物入れは、上部に扉が設けられ、その扉はその後縁部を水平方向の枢軸により上方に開放可能に枢支され、扉を下方に閉じた際、扉の先端側（自由端側）に突設したフックが、小物入れ本体側の対応位置に設けたフック係止部に係止され、扉がロックされる構造である（例えば特開平１１−３２１４６９号公報参照）。
【０００３】
【発明が解決しようとする課題】
しかし、この従来の小物入れ用扉のロック装置は、ロック解除ノブが扉のフックの位置から離れた小物入れ本体の側部上に配置されているため、ロック解除ノブの動きを扉のフックの係止部に伝達するために、棒部材を摺動可能に配設し、さらにロック解除ノブの動きを棒部材に伝えるために、複数のカムやアームを軸支して複雑に各部材を連結する必要があった。このため、ロック装置の構造が複雑化すると共に大型化して、その配置場所が制限されると共に、製造時の組付に時間がかかり、さらに、各部材にがたつきが生じ易く、安定した良好な性能の製品が得られにくい等の問題があった。
【０００４】
本発明は、上記の点に鑑みてなされたもので、構造が簡単で部品点数が少なく小形化できると共に、容易に組付を行なうことができる小物入れ用扉のロック装置を提供することを目的とする。
【０００５】
【課題を解決するための手段】
上記目的を達成するために、本発明の小物入れ用扉のロック装置は、小物入れ本体の上部後縁部に扉がその自由端を前に上方に開放可能に軸支され、扉の自由端近傍の内側にフックが傾動可能に設けられ、小物入れ本体の上部にフックが進入する開口部が形成され、扉の閉鎖時に該フックが該開口部に進入した際、開口部の内側縁部に設けたフック係止部にフックが係止されて扉をロックする小物入れ用扉のロック装置において、開口部の内側に開閉可能に配置され、開口部を内側から閉じる蓋体と、蓋体を回動可能に軸支し中央内側に嵌合部を有するリテーナと、リテーナの嵌合部に嵌合されるノブケースと、ノブケース内に押し込み摺動可能に配設されると共に、摺動時にフックに係合してフックをアンロック側に傾動させるアンロック部を設けたアンロックノブと、アンロックノブを小物入れ本体の一部に設けた孔から突出するように付勢するばね部材と、を一体に組み付けてロック装置ユニットが形成され、ロック装置ユニットが小物入れ本体内の所定位置に固定されたことを特徴とする。
【０００６】
ここで、ノブケースとリテーナの嵌合部間には、アンロックノブをノブケース内に挿入した状態でノブケースをリテーナの嵌合部に嵌合させた際、ノブケースを嵌合部の所定位置に係止させる係止手段を設けることができる。また、フックとフック係止部は、フックがアンロックノブの押し込み操作により、後方に傾動して、開口部内側の前縁部に設けられたフック係止部との係止を解除するように構成することができる。さらに、ばね部材は、リテーナの嵌合部内に、アンロックノブを前方に付勢して配設することができる。
【０００７】
【作用】
このような構成のロック装置は、その製造の際の組み付け時に、先ず、リテーナの元部に蓋体を軸支し、リテーナの嵌合部内にばね部材を掛止し、ノブケース内にアンロックノブを挿入した状態で、リテーナの嵌合部内にノブケースの元部の嵌合部を嵌め込み、ロック装置ユニットを組み立てる。そして、このロック装置ユニットを、小物入れ本体の内側の所定位置に、その蓋体を開口部の内側に位置させ、アンロックノブの先端を小物入れ本体前面の孔から突出させた状態で、固定して組み付けを行なう。
【０００８】
このように、ロック装置ユニットが、蓋体、リテーナ、ノブケース、アンロックノブ、ばね部材の最少の部材から構成されるから、部品点数が従来に比べ少なくなり、小形に形成することができ、さらに予め一体に組み立てたロック装置ユニットを、小物入れ本体の内側に固定するように組み付けるから、組み付け作業が簡単で、少ない作業工数で迅速に組み立てを行なうことができる。
【０００９】
このようなロック装置では、扉を閉じると、扉のフックが開口部内の蓋体を押し開きながら開口部に進入し、開口部の内側縁部に設けたフック係止部にフックが係止されて扉がロックされる。扉を開く際にはアンロックノブを押すと、アンロックノブのアンロック部がフックを押して傾動させ、フックと開口部の内側縁部に設けたフック係止部との係止を解除して、アンロック状態とし、扉を開放する。
【００１０】
【発明の実施の形態】
以下、本発明の実施の形態を図面に基づいて説明する。図１は自動車のインストルメントパネルの上部に配設される小物入れの斜視図を示し、図２は扉を開いた状態の小物入れの斜視図を示し、図３はその小物入れの扉２のロック装置の断面図を示し、図４はロック装置ユニット１０の斜視図を示している。１は小物入れ本体であり、上部には上方を開放した収納室１ａが設けられ、前面側にはレジスタ１３を設けた空気吹出口１２が一体的に形成されている。ロック装置ユニット１０は、その収納室１ａの前部中央の本体内に配設され、ロックを解除するためのアンロックノブ４がその前部中央に露出して押し込み可能に装着される。
【００１１】
扉２は、収納室１ａの上部を覆い、かつインストルメントパネルの上面と同一面を構成するように配設される。扉２の後縁部は、水平方向の枢軸２ａにより上方に開放可能に軸支され、枢軸２ａの下方側部に扉２と共に回動する部分歯車１４が設けられ、この部分歯車１４は小物入れ本体１の側部に設けた小歯車１５に噛合する。更に、部分歯車１４の近傍に開放ばね１９が装着され、扉２を開放側に付勢する。小歯車１５は適度な負荷を持って回動するように軸支され、扉２がアンロック状態となって開放ばね１９の付勢力により開く際、扉２は小歯車１５のダンパー作用により緩やかに開くように動作する。
【００１２】
扉２の先端側（自由端側）の中央内側に、フック３が下向きにかつ前後方向に傾動可能に取り付けられる。このフック３には、図２、３に示すように、鉤部３ａが正面側を向いて形成され、その正面中央には後述のアンロックノブ４のアンロック部４が押すための凹部３ｂが設けられている。このようなフック３の元部には水平方向の枢軸３ｃが設けられ、この枢軸３ｃによってフック３は所定の角度範囲で前後方向に回動可能に軸支される。また、枢軸３ｃにはねじりコイルばね１６が装着され、フック３を前方の係止側に付勢している。
【００１３】
一方、小物入れ本体１上の収納室１ａの前縁部中央には、扉２の閉鎖時にフック３が進入する矩形の開口部１７が形成され、この開口部１７の内側には後述のロック装置ユニット１０の一部である蓋体９がこの開口を内側から閉じるように回動可能に配置される。また、開口部１７の内側縁部に、図２、図７に示すようなフック係止部１８が形成され、開口部１７の内側に図４、５に示すようなロック装置ユニット１０が装着される。
【００１４】
図４、５において、４は扉２を開く際にアンロック操作を行なうアンロックノブであり、元部の中央上部にアンロック部５が斜め上方に突き出すように突設される。アンロックノブ４の両側にはガイド凸部４ａが長手方向に突設される。このアンロック部５はアンロックノブ４の押し込み操作時に、扉２のフック３の凹部３ｂを押して、フック３をロック解除方向に傾動させる。
【００１５】
アンロックノブ４は、ノブケース６内にその先端（前部）を突出して前後に摺動可能に挿入されるが、ノブケース６の内側面にはガイド凹部６ｃが形成され、アンロックノブ４のガイド凸部４ａがこのガイド凹部６ｃに係合し前後方向の移動を良好にガイドされる。また、ノブケース６の元部には、後述のリテーナ８の嵌合部８ａ内に嵌合可能な嵌合部６ａが形成され、更にその嵌合部６ａの外側の両側面には係止手段として爪部６ｄが突設される。リテーナ８の嵌合部８ａへの組付・嵌合時には、爪部６ｄがリテーナ８の長穴８ｅに係止され、固定される。係止手段としての爪部６ｄと長穴８ｅの位置関係は上記とは逆に構成することもできる。さらに、ノブケース６の両側にはねじ孔、位置決め孔を設けた取付部６ｂが形成される。
【００１６】
リテーナ８は、図５に示すように、立体的な枠状に形成され、前部下段にノブケース６を嵌合可能な形状の嵌合部８ａを設け、元部上段に蓋体装着部８ｂを設け、両側にねじ孔や位置決め孔を設けた取付部８ｃ，８ｄを形成して構成される。リテーナ８の嵌合部８ａ内の両側部には、ノブケース６の嵌合部６ａの両側爪部６ｄが係止される長穴８ｅが形成され、また、嵌合部８ａの中央には凸部８ｆが突設され、中央に孔７ａを有するばね部材（板ばね）７がこの凸部８にその孔７ａをはめて嵌合部８ａ内に装着される。
【００１７】
蓋体装着部８ｂの両側には軸孔８ｇが設けられ、その軸孔８ｇに蓋体９の両側の軸９ａが回動可能に嵌合される。蓋体９を閉鎖方向（上方）に付勢するためのねじりコイルばね１１が蓋体９に装着される。また、蓋体９の前縁部中央にはアンロック部５が係合する係合凹部９ｂが形成される。
【００１８】
上記構成のロック装置ユニット１０の各部材は、ノブケース６がアンロックノブ４を内側に挿入した状態で、リテーナ８の嵌合部８ａ内にノブケース６の元部の嵌合部６ａを差し込むように嵌め合わせる。このとき、ノブケース６の嵌合部６ａが所定位置まで嵌入したとき、爪部６ｄがリテーナ８側の長穴８ｅに嵌入し、確実に組み付けが行なわれる。また、このとき、リテーナ８の嵌合部８ａ内のばね部材７はノブケース６内のアンロックノブ４の背面を前方に付勢した状態となり、リテーナ８とノブケース６の前部の取付部６ｂと８ｃが合わせた状態に組み付けられる。
【００１９】
このように、リテーナ８の元部に蓋体９を軸支し、リテーナ８の嵌合部８ａ内にばね部材７を掛止し、ノブケース６内にアンロックノブ４を挿入した状態で、リテーナ８の嵌合部８ａ内にノブケース６の元部の嵌合部６ａを差し込むように嵌め込むだけで、簡単かつ確実にロック装置ユニット１０の組立を完了することができる。また、このロック装置ユニット１０は、ノブケース６、アンロックノブ４、ばね部材７、リテーナ８、及び蓋体９の最少の部材から構成されるから、部品点数が従来のものに比べ少なくなり、図４のように小形に形成することができる。
【００２０】
そして、上記のように組み立てられたロック装置ユニット１０は、小物入れ本体１の内側の所定位置に、図３の如くその蓋体９を開口部１７の内側に位置させ、アンロックノブ４の先端を本体前面の孔から突出させた状態で、取付部６ｂ，８ｃ，８ｄ及び取付ねじを用いて取付・固定される。
【００２１】
このような構成の小物入れは、自動車のインストルメントパネル上に装着され、扉２を上から押して閉めると、扉２の自由端中央のフック３が、小物入れ本体１側の対応位置に設けた開口部１７に、その内側の蓋体９を押し開きながら進入し、フック３の前部両側の鉤部３ａが、図７のように開口部１７の内側前縁部のフック係止部１８に係止され、扉２がロックされる。フック係止部１８はねじりコイルばね１６により係止方向（前方）に付勢されているため、そのロック状態は保持される。
【００２２】
次に、扉２を開くために、アンロックノブ４を押すと、図８のように、アンロックノブ４が内側に移動し、斜め上方に突設されたアンロック部５が扉２のフック３の凹部３ｂを押し上げる。これによって、フック３が元部の枢軸３ｃを軸に上方に回動し、フック３の鉤部３ａとフック係止部１８との係合がはずれ、図９に示すように、扉２はその元部の枢軸２ａを軸にして開放ばね１９のばね力により上方への付勢力を受けて上に向けて回動し開放される。フック３が退出した開口部１７は、ねじりコイルばね１１の付勢力により蓋体９が上に向けて回動し、閉鎖される。
【００２３】
【発明の効果】
以上説明したように、本願発明の小物入れ用扉のロック装置によれば、ロック装置ユニットが、蓋体、リテーナ、ノブケース、アンロックノブ、ばね部材の最少の部材から構成されるから、部品点数が従来に比べ少なくなり、小形に形成することができ、さらに予め一体に組み立てたロック装置ユニットを、小物入れ本体の内側の所定位置に固定するように組み付けるから、組み付け作業が簡単で、少ない作業工数で、迅速に組み立てを行なうことができる。
【００２４】
また、請求項２のように、ノブケースとリテーナの嵌合部間に、アンロックノブをノブケース内に挿入した状態でノブケースをリテーナの嵌合部に嵌合させた際、係止手段によりノブケースを嵌合部の所定位置に係止させるように構成すれば、ロック装置ユニットの組み立てを、より簡単にがたつきなく行なうことができる。
【００２５】
更に、請求項３のように、アンロックノブの押し込み操作により、フックが後方に傾動して、開口部内側の前縁部に設けられたフック係止部との係止を解除するよう構成すれば、簡単な構造のロック装置ユニットにより、扉のロック及びアンロックを円滑に行なうことができる。
【図面の簡単な説明】
【図１】本発明の一実施形態を示す小物入れの斜視図である。
【図２】扉を開いた状態の同小物入れの斜視図である。
【図３】小物入れ用扉のロック装置の拡大断面図である。
【図４】ロック装置ユニットの斜視図である。
【図５】同ロック装置ユニットの分解斜視図である。
【図６】扉の閉鎖時における図４のＡ−Ａ線位置の断面図である。
【図７】扉の閉鎖時における図４のＢ−Ｂ線位置の断面図である。
【図８】アンロックノブを押した際の図４のＡ−Ａ線位置の断面図である。
【図９】扉の開放時における図４のＡ−Ａ線位置の断面図である。
【符号の説明】
１−小物入れ本体
２−扉
３−フック
４−アンロックノブ
５−アンロック部
６−ノブケース
７−ばね部材
８−リテーナ
９−蓋体
１０−ロック装置ユニット
１７−開口部
１８−フック係止部
【図１】
0003721511.tif 000002
【図２】
0003721511.tif 000003
【図３】
0003721511.tif 000004
【図４】
0003721511.tif 000005
【図５】
0003721511.tif 000006
【図６】
0003721511.tif 000007
【図７】
0003721511.tif 000008
【図８】
0003721511.tif 000009
【図９】
0003721511.tif 000010